(57)【要約】【課題】記録媒体が装着された状態での電源ＯＮ時のユーザの利便性の向上を図ること。【解決手段】記録情報処理装置は、電源がＯＮ状態であるときに記録媒体が装着された場合は当該記録媒体に基づく操作を可能とさせる記録情報処理装置であって、電源がＯＮ状態であるときに記録媒体が装着されているか否かを検出する検出手段と、検出手段によって記録媒体が装着されていると検出された場合に、記録媒体が有する固有情報およびコンテンツ情報と、あらかじめ記録情報処理装置に記憶されている当該固有情報およびコンテンツ情報とを比較する比較手段と、比較手段によって記録媒体が有する固有情報およびコンテンツ情報が異なると比較された場合に、異なる部分のコンテンツ情報を抽出する抽出手段と、抽出手段によって抽出されたコンテンツ情報を表示する表示手段と、を備える。【選択図】図５
2007136917.tif 000002
【特許請求の範囲】
【請求項１】
電源がＯＮ状態であるときに記録媒体が装着された場合は当該記録媒体に基づく操作を可能とさせる記録情報処理装置であって、
前記電源がＯＮ状態であるときに前記記録媒体が装着されているか否かを検出する検出手段と、
前記検出手段によって前記記録媒体が装着されていると検出された場合に、前記記録媒体が有する固有情報およびコンテンツ情報と、あらかじめ前記記録情報処理装置に記憶されている当該固有情報およびコンテンツ情報とを比較する比較手段と、
前記比較手段によって前記記録媒体が有する前記固有情報およびコンテンツ情報が異なると比較された場合に、異なる部分の前記コンテンツ情報を抽出する抽出手段と、
前記抽出手段によって抽出された前記コンテンツ情報を表示する表示手段と、
を備えることを特徴とする記録情報処理装置。
【請求項２】
前記抽出手段によって抽出された前記コンテンツ情報を用いて印刷情報を生成し出力する出力手段をさらに備えることを特徴とする請求項１に記載の記録情報処理装置。
【請求項３】
前記比較手段は、前記コンテンツ情報として、画像ファイル数、画像ファイル名、時刻情報、使用容量および前記画像ファイルが使用済みであるかを示すフラグの少なくともいずれかを用いることを特徴とする請求項１または２に記載の記録情報処理装置。
【請求項４】
前記比較手段は、前記時刻情報があらかじめ前記記録情報処理装置に設定された所定時間を越えるか否かを比較することを特徴とする請求項３に記載の記録情報処理装置。
【請求項５】
電源がＯＮ状態であるときに記録媒体が装着された場合は当該記録媒体に基づく操作を可能とさせる記録情報処理方法であって、
前記電源がＯＮ状態であるときに前記記録媒体が装着されているか否かを検出する検出工程と、
前記検出工程によって前記記録媒体が装着されていると検出された場合に、前記記録媒体が有する固有情報およびコンテンツ情報と、あらかじめ前記記録情報処理装置に記憶されている当該固有情報およびコンテンツ情報とを比較する比較工程と、
前記比較工程によって前記記録媒体が有する前記固有情報およびコンテンツ情報が異なると比較された場合に、異なる部分の前記コンテンツ情報を抽出する抽出工程と、
前記抽出工程によって抽出された前記コンテンツ情報を表示する表示工程と、
を含んだことを特徴とする記録情報処理方法。
【請求項６】
請求項５に記載の記録情報処理方法をコンピュータに実行させることを特徴とする記録情報処理プログラム。
【請求項７】
請求項６に記載の記録情報処理プログラムをコンピュータに読み取り可能に記録したことを特徴とする記録媒体。
【発明の詳細な説明】
【技術分野】
【０００１】
本発明は、記録情報処理装置、記録情報処理方法、記録情報処理プログラムおよび記録媒体に関し、特に電源ＯＮ時の記録媒体の装着状態などによって動作モードの操作画面を自動的に表示することができる記録情報処理装置、記録情報処理方法、記録情報処理プログラムおよび記録媒体に関する。
【背景技術】
【０００２】
近年、たとえばプリンタ、ファックス、コピーなどの各機能を備えたいわゆるプリンタ複合機では、メモリカードなどの外部の記録媒体を装着し、この装着した記録媒体に記録されている画像ファイルや各種情報などを印刷などに利用することができるように記録情報処理をおこなうことが可能な構成となっている。
【０００３】
そして、この記録情報処理においては、ユーザの利便性の向上を図るために、たとえば記録媒体が装着されている状態で電源がＯＮとなった場合に、通常の電源ＯＮ時に表示画面に表示されるメインメニュー画面を介さずに、直接記録媒体を利用した操作がおこなえるような操作メニュー画面を表示することができる処理が知られている。
【０００４】
このような記録情報処理は、たとえばつぎのようにおこなわれている。すなわち、記録情報処理をおこなうプリンタ複合機は、ＣＰＵが文書ハンドラに書類が載っていることを検出するとコピー機能に対応する操作メニュー画面にユーザインタフェース（ＵＩ）の表示内容を変え、ハンドセットか電話キーパッドを介して電話番号が入力されたことを検出するとファックス機能に対応する操作メニュー画面にＵＩの表示内容を変える。
【０００５】
また、プリンタ複合機は、プラテンカバーセンサがプラテンカバーが開いたことを検出するとコピー機能に対応する操作メニュー画面にＵＩの表示内容を変え、入出力ドライブにポータブルメモリデバイスなどの記録媒体が挿入されたことを検出すると印刷機能に対応する操作メニュー画面にＵＩの表示内容を変える。このように各検出結果に基づいて表示内容を変えることによって、適切なＵＩの操作メニュー画面を表示することができるようになっている（たとえば、特許文献１参照。）。
【０００６】
また、このような記録情報処理をおこなう撮影装置は、ＣＰＵが電源ＯＦＦ時も機能するメモリＩ／Ｏから入力されるメモリ着脱検出信号に基づいてメモリカードなどの記録媒体の着脱情報を生成し、装着されている記録媒体の記録媒体管理情報を生成してＲＡＭに記憶し、電源がＯＦＦとなってから再度電源がＯＮとなったときに、ＲＡＭ内に電源ＯＦＦ時の記録媒体管理情報が記憶されていることを確認する。
【０００７】
そして、装着されている記録媒体の記録媒体管理情報を生成し、その電源ＯＦＦ時にＲＡＭに記憶した記録媒体管理情報と比較して、装着されている記録媒体が電源ＯＦＦ時のものと同一であるか否かを確認して、各機能の動作モードの処理速度を高速化することができるようになっている（たとえば、特許文献２参照。）。
【０００８】
また、このような記録情報処理をおこなう電子カメラは、撮影によって得られた最新の画像ファイルを記録したメモリカードなどの記録媒体のＩＤ情報（識別子）をＥＥＰＲＯＭに記憶しておき、その後、記録媒体の着脱操作がおこなわれた際に装着された記録媒体のＩＤ情報と、先にＥＥＰＲＯＭに記憶しておいたＩＤ情報との同一性を判断し、同一のＩＤ情報を有する記録媒体を記録先として自動設定する。
【０００９】
また、最新の画像ファイルを記録した記録媒体に「最新の記録先メディア」であることを示すマーク情報を書き込み、その後、記録媒体の着脱操作がおこなわれた際に最新のマーク情報を有する記録媒体を記録先として自動設定することもできる。そして、記録媒体の空き容量の多い方または少ない方を自動選択する態様も可能で、前回撮影時に使用した記録媒体に引き続き記録をおこなうことができるようになっている（たとえば、特許文献３参照。）。
【００１０】
さらに、このような記録情報処理をおこなう印刷装置は、マイクロコンピュータなどのＣＰＵが記録媒体からファイル関連情報（「ＤＣＩＭ」：フォルダ作成日時情報やそのフォルダサイズ関連情報など）を読み出して揮発性メモリに格納し、インク切れなどが生じたときにはファイル関連情報や残印刷枚数情報などの各種情報を不揮発性メモリに記憶させる。インク補充や用紙補充がなされていないまま電源がＯＦＦとなるときには、不揮発性メモリの各種情報を保持した状態で電源をＯＦＦにする。
【００１１】
そして、一旦電源がＯＦＦとなった後の電源ＯＮ時に、不揮発性メモリ内の各種情報と記録媒体から得られるファイル関連情報とに基づいて、この記録媒体が電源ＯＦＦ時に装着されていた記録媒体と同一であるか否かを判断し、適切に印刷の続行がおこなえるようになっている（たとえば、特許文献４参照。）。
【００１２】
【特許文献１】特開平１０−２７１２６０号公報
【特許文献２】特開２００４−７３１９号公報
【特許文献３】特開２００２−３３９４６号公報
【特許文献４】特開２００４−２９９０７２号公報
【発明の開示】
【発明が解決しようとする課題】
【００１３】
しかしながら、上記特許文献１に記載の従来技術のプリンタ複合機における記録情報処理では、たとえば記録媒体を用いてコピー機能やファックス機能などの各機能を利用するために、電源がＯＮとなる前に意図的に記録媒体を装着したことによる適切な操作メニュー画面の表示をおこなうことはできるが、前回の電源ＯＦＦ時から記録媒体を装着したままの場合は意図的であるか否かの判定はおこなわれずに操作メニュー画面の表示がおこなわれてしまうため、必ずしも利便性の向上には繋がらない場合があるという問題がある。
【００１４】
また、上記特許文献２〜４に記載の従来技術における記録情報処理では、記録媒体の着脱前後の状況下で記録媒体に記録されている各種情報の同一性を判断することはできるが、たとえば電源ＯＦＦ時に抜去され、他の記録装置などによって各種情報に変更が施されたうえで電源ＯＦＦ中に再度記録媒体が装着された場合などに、再び電源がＯＮとなった際に変更された各種情報に基づいて記録媒体の同一性を判断することができない場合があるという問題がある。
【００１５】
この発明は、上記課題を解決するためになされたものであり、記録媒体が装着されたまま電源がＯＮとなった際に、適切な操作メニュー画面を自動的に表示してユーザの利便性の向上を図ることができる記録情報処理装置、記録情報処理方法、記録情報処理プログラムおよび記録媒体を提供することを目的とする。
【課題を解決するための手段】
【００１６】
上記課題を解決するために、本発明にかかる記録情報処理装置は、電源がＯＮ状態であるときに記録媒体が装着された場合は当該記録媒体に基づく操作を可能とさせる記録情報処理装置であって、前記電源がＯＮ状態であるときに前記記録媒体が装着されているか否かを検出する検出手段と、前記検出手段によって前記記録媒体が装着されていると検出された場合に、前記記録媒体が有する固有情報およびコンテンツ情報と、あらかじめ前記記録情報処理装置に記憶されている当該固有情報およびコンテンツ情報とを比較する比較手段と、前記比較手段によって前記記録媒体が有する前記固有情報およびコンテンツ情報が異なると比較された場合に、異なる部分の前記コンテンツ情報を抽出する抽出手段と、前記抽出手段によって抽出された前記コンテンツ情報を表示する表示手段と、を備えることを特徴とする。
【００１７】
本発明の記録情報処理装置によれば、電源がＯＮ状態であるときに記録媒体が装着されている場合に、記録媒体が有する固有情報およびコンテンツ情報と、あらかじめ記録情報処理装置に記憶されている固有情報およびコンテンツ情報とが比較され、異なる部分のコンテンツ情報が抽出されて表示される。これにより、電源ＯＮ時に記録媒体が装着されているときに、ユーザが記録媒体に記録されたコンテンツ情報を使用する意図があるか否かを効果的に判断してその情報を表示することができるため、ユーザの利便性の向上を図ることが可能となる。
【００１８】
また、本発明の記録情報処理装置は、前記抽出手段によって抽出された前記コンテンツ情報を用いて印刷情報を生成し出力する出力手段をさらに備えることを特徴とする。
【００１９】
このため、抽出されたコンテンツ情報を用いて印刷情報を生成し出力することができ、さらにユーザの利便性の向上を図ることができる。
【００２０】
また、本発明の記録情報処理装置の前記比較手段は、前記コンテンツ情報として、画像ファイル数、画像ファイル名、時刻情報、使用容量および前記画像ファイルが使用済みであるかを示すフラグの少なくともいずれかを用いることを特徴とする。
【００２１】
このため、コンテンツ情報として、画像ファイル数、画像ファイル名、時刻情報、使用容量および画像ファイルが使用済みであるかを示すフラグを用いて比較することができ、ユーザが記録媒体に記録されたコンテンツ情報を使用する意図があるか否かをさらに細かく判断することが可能となる。
【００２２】
また、本発明の記録情報処理装置の前記比較手段は、前記時刻情報があらかじめ前記記録情報処理装置に設定された所定時間を越えるか否かを比較することを特徴とする。
【００２３】
このため、あらかじめ記録情報処理装置に設定された所定時間と時刻情報とを用いて比較することができ、ユーザが記録媒体に記録されたコンテンツ情報を使用する意図があるか否かをさらに細かく判断することができる。
【００２４】
本発明にかかる記録情報処理方法は、電源がＯＮ状態であるときに記録媒体が装着された場合は当該記録媒体に基づく操作を可能とさせる記録情報処理方法であって、前記電源がＯＮ状態であるときに前記記録媒体が装着されているか否かを検出する検出工程と、前記検出工程によって前記記録媒体が装着されていると検出された場合に、前記記録媒体が有する固有情報およびコンテンツ情報と、あらかじめ前記記録情報処理装置に記憶されている当該固有情報およびコンテンツ情報とを比較する比較工程と、前記比較工程によって前記記録媒体が有する前記固有情報およびコンテンツ情報が異なると比較された場合に、異なる部分の前記コンテンツ情報を抽出する抽出工程と、前記抽出工程によって抽出された前記コンテンツ情報を表示する表示工程と、を含んだことを特徴とする。
【００２５】
本発明の記録情報処理プログラムは、上述した記録情報処理方法をコンピュータに実行させることを特徴とする。
【００２６】
このため、本発明の記録情報処理プログラムを実行することにより、上述した記録情報処理方法によって得られる動作がコンピュータによって実現される。これにより、上述した記録情報処理方法の実現によって得られる各種効果を奏することができる。
【００２７】
本発明の記録媒体は、上述した記録情報処理プログラムをコンピュータに読み取り可能に記録したことを特徴とする。
【００２８】
このため、本発明にかかる記録媒体に記録された記録情報処理プログラムをコンピュータによって読み取らせ、実行させることによって、上述した記録情報処理プログラムの実行によって得られる各種効果を奏することができる。
【発明を実施するための最良の形態】
【００２９】
以下に添付図面を参照して、本発明にかかる記録情報処理装置、記録情報処理方法、記録情報処理プログラムおよび記録媒体の好適な実施の形態を詳細に説明する。
【００３０】
（記録情報処理装置を備えるプリンタ複合機の外観構成）
まず、本発明の実施の形態にかかる記録情報処理装置を備えるプリンタ複合機１００の全体構成について図１〜図３を用いて説明する。
【００３１】
図１は、本実施の形態にかかる記録情報処理装置を備えるプリンタ複合機の外観を示す正面図である。また、図２は、プリンタ複合機の外観を示す上面図である。また、図３は、プリンタ複合機の外観を示す側面図である。また、図４は、プリンタ複合機の操作パネルの外観を示す正面図である。図１〜図３に示すように、プリンタ複合機１００は、上部にスキャナ部１３０と、下部にプリンタ部１４０と、正面に操作パネル１５０とを備えて構成されている。スキャナ部１３０は、原稿に記載された図形、テキスト、写真などの各種情報を読み取り、それぞれのデータに対応する形式の電子データを生成する。
【００３２】
スキャナ部１３０は、図示しないスキャナケースと、スキャナキャリッジと、原稿台とを備え、原稿台の上部には原稿台を覆う原稿カバー１３１が備えられている。ここで、スキャナ部１３０の図示しない各構成部について簡単に説明する。スキャナケースは、たとえば上部が開口された箱状部材からなり、原稿に記載された各種情報を読み取るための各部材を内部空間に収容した構造からなる。スキャナキャリッジは、スキャナ部１３０に設けられた図示しないモータによって駆動されるベルト（図示せず）によって係止され、モータの回転に伴ってベルトを介してキャリッジガイド（図示せず）に支持されながら副走査方向に往復移動する。
【００３３】
スキャナキャリッジの内部には、たとえばリニアイメージセンサを実装した走査回路基板、レンズ、ミラー、光源などが搭載されている。光源は、蛍光管ランプなどによって構成されており、原稿に対して光を照射する。レンズおよびミラーは、光源によって照射された光の原稿からの反射光や透過光を光学像としてリニアイメージセンサの受光面に結像させる。
【００３４】
リニアイメージセンサは、たとえばフォトダイオードなどの受光素子が主走査方向に直線状に並ぶ状態で走査回路基板に搭載されている。リニアイメージセンサは、受光面に結像された光学像を光電変換して、受光素子ごとの受光量に応じた電気信号を出力する。なお、キャリッジガイドは、スキャナケースに固定された棒状部材であり、スキャナキャリッジを副走査方向に摺動自在に支持するものである。
【００３５】
原稿台は、たとえば透明なガラス材などからなる板状部材によって構成されており、スキャナケースの上部に形成された開口を閉塞するように固定されている。この原稿台には、電子データ化するための各種情報が記載された原稿が載置される。原稿カバー１３１は、原稿台上に載置された原稿を上方から覆うようにして原稿台に対して押さえ付ける役割を果たしている。なお、この原稿カバー１３１には、原稿を押さえ付ける箇所に、たとえば原稿台とほぼ同じ大きさで形成された板状の保護マットが備えられており、背面側に形成されたヒンジ部を介して開閉自在にスキャナケースに連結されている。
【００３６】
プリンタ部１４０は、プリンタ複合機１００とネットワークを介して接続されたＰＣ（パーソナルコンピュータ）などから送信された電子データや、プリンタ複合機１００に装着されたメモリカードなどの記録媒体に記録された電子データに基づいて、対応する各種情報を印刷用紙に印刷出力する。
【００３７】
操作パネル１５０は、プリンタ複合機１００の正面側に設けられており、ユーザによって操作されることによりプリンタ複合機１００に対する画像読み取り処理、印刷処理、コピー処理、ファックス処理などの各種の処理要求を受け付ける。この操作パネル１５０には、表示画面１５１や選択決定ボタン１５２などが設けられている。ここで、操作パネル１５０について簡単に説明する。
【００３８】
操作パネル１５０は、具体的には、図４に示すように、表示画面１５１、選択決定ボタン１５２、モード選択ボタン１５３、電源スイッチボタン１５４、スタートボタン１５５、ストップボタン１５６、表示切替ボタン１５７、セットアップボタン１５８、印刷設定ボタン１５９および戻るボタン１６０を備えて構成されている。
【００３９】
表示画面１５１は、たとえば液晶パネルやタッチパネルなどによって構成され、セットアップメニュー画面、メインメニュー画面、操作メニュー画面、各種の処理状況などを表示する。選択決定ボタン１５２は、上方向キー１５２ａ、下方向キー１５２ｂ、右方向キー１５２ｃ、左方向キー１５２ｄおよび決定ボタン１５２ｅを備えて構成されている。各方向キー１５２ａ〜１５２ｄは、たとえば表示画面１５１に表示されるカーソルの上下左右方向を指定したり、表示項目や設定値などを選択したりするために用いられる。決定ボタン１５２ｅは、カーソルで指定した項目や選択した表示項目あるいは選択した設定値などを決定する際に用いられる。
【００４０】
モード選択ボタン１５３は、コピーモードボタン１５３ａ、スキャンモードボタン１５３ｂ、プリントモードボタン１５３ｃ、フィルムモードボタン１５３ｄおよびメモリカードモードボタン１５３ｅを備えて構成されている。コピーモードボタン１５３ａは、原稿台上に載置された原稿の各種情報をコピーするコピーモードを起動する際に用いられる。
【００４１】
スキャンモードボタン１５３ｂは、原稿台上に載置された原稿の各種情報をスキャンして電子データ化するスキャンモードを起動する際に用いられる。メモリカードモードボタン１５３ｅは、プリンタ複合機１００に装着された外部のメモリカードを用いて印刷するメモリカードモードを起動する際に用いられる。フィルムモードボタン１５３ｄは、原稿台上に載置されたフィルム原稿をスキャンして印刷するフィルムモードを起動する際に用いられる。プリントモードボタン１５３ｃは、上記各モードを組み合わせて印刷するプリントモードを起動する際に用いられる。
【００４２】
電源スイッチボタン１５４は、プリンタ複合機１００の電源のＯＮ／ＯＦＦを切り替えるために用いられる。スタートボタン１５５は、主に各モードの実際の動作をスタートさせるために用いられる。ストップボタン１５６は、スタートボタン１５５でスタートさせた動作を停止したり、各モードでおこなった設定を初期設定にクリアしたりするために用いられる。
【００４３】
表示切替ボタン１５７は、表示画面１５１に表示される各種情報の表示態様を切り替えるために用いられる。セットアップボタン１５８は、プリンタ複合機１００における各種設定や各種調整などをおこなうために用いられる。印刷設定ボタン１５９は、プリンタ複合機１００における印刷用紙や印刷品質などを設定するために用いられる。戻るボタン１６０は、操作時点で表示画面１５１に表示されている表示項目で選択あるいは設定した内容などを無効にして、前の表示画面１５１で表示した表示項目に戻るために用いられる。
【００４４】
（記録情報処理装置を備えるプリンタ複合機の機能的構成）
つぎに、本実施の形態にかかる情報処理装置を備えるプリンタ複合機１００の機能的構成について説明する。
【００４５】
図５は、本実施の形態にかかる記録情報処理装置を備えるプリンタ複合機の機能的構成を示すブロック図である。プリンタ複合機１００は、上述した構成の他に、図５に示すように、ＣＰＵ（Ｃｅｎｔｒａｌ  Ｐｒｏｃｅｓｓｉｎｇ  Ｕｎｉｔ）１０１と、ＲＡＭ（Ｒａｎｄｏｍ  Ａｃｃｅｓｓ  Ｍｅｍｏｒｙ）１０２と、ＲＯＭ（Ｒｅａｄ  Ｏｎｌｙ  Ｍｅｍｏｒｙ）１０３と、ＥＰＲＯＭ（Ｅｒａｓａｂｌｅ  ａｎｄ  Ｐｒｏｇｒａｍｍａｂｌｅ  ＲＯＭ）１０４と、メモリカード用コントローラ（以下、「ＭＭＣ」と呼ぶ。）１０５と、ＵＳＢ（Ｕｎｉｖｅｒｓａｌ  Ｓｅｒｉａｌ  Ｂｕｓ）コントローラ１０６と、ネットワークコントローラ１０７と、表示用コントローラ１０８と、バスコントローラ１０９とを備えて構成されている。
【００４６】
また、プリンタ複合機１００は、印刷回路（プリンタ制御部）１１１と、スキャナ回路（スキャナ制御部）１１２と、ＦＡＸ／メール回路１１３と、テレビ出力回路１１４と、入力デバイス１１５とを備え、表示用コントローラ１０８に接続された表示画面１５１をさらに備えて構成されている。なお、プリンタ複合機１００を構成する各構成部は、たとえばバス１１０などを介して互いに接続されている。
【００４７】
なお、ＣＰＵ１０１は、外部の記録媒体としてのメモリカード１７０のＭＭＣ１０５に対する着脱を検出するメモリカード検出部１２１と、プリンタ複合機１００およびメモリカード１７０の各種情報をＲＡＭ１０２、ＲＯＭ１０３およびＥＰＲＯＭ１０４などに記憶するメモリ記憶部１２２と、プリンタ複合機１００およびメモリカード１７０の各種情報をメモリカード１７０に記録するカード記録部１２３と、たとえばＥＰＲＯＭ１０４に記憶された各種情報とメモリカード１７０に記録された各種情報とを比較判定する判定部１２４と、表示用コントローラ１０８を介して表示画面１５１に各種情報を表示する処理をおこなうユーザインタフェース（ＵＩ）処理部１２５と、上記各部１２１〜１２５を制御する主制御部１２６とを備えて構成されている。
【００４８】
また、ＣＰＵ１０１は、プリンタ複合機１００全体の制御を司る。ＲＡＭ１０２は、ＣＰＵ１０１のワークエリアとして使用される。ＲＯＭ１０３は、ブートプログラム、記録情報処理プログラム、プリントプログラムなどの各種プログラムを記憶している。すなわち、ＣＰＵ１０１は、ＲＡＭ１０２をワークエリアとして使用しながら、ＲＯＭ１０３に記憶された各種プログラムを実行することによってプリンタ複合機１００全体の制御をおこなう。
【００４９】
ここで、記録情報処理プログラムとは、ＣＰＵ１０１によって実行されることにより、たとえばプリンタ複合機１００の電源ＯＮ時にメモリカード１７０がＭＭＣ１０５に装着されている場合に、上述したメモリカードモードを起動するか否かをメモリカード１７０およびＥＰＲＯＭ１０４に記録（記憶）されている固有情報やコンテンツ情報などの各種情報に基づいてその同一性を判断することによりおこなうプログラムである。なお、プリンタ複合機１００のメモリカードモードは、初期設定時においては、電源ＯＮのときにメモリカード１７０がＭＭＣ１０５に装着された場合に、自動的に起動するように設定されていることとする。
【００５０】
また、プリントプログラムは、ＣＰＵ１０１によって実行されることにより、たとえばプリンタ複合機１００の電源ＯＮ時にメモリカード１７０がＭＭＣ１０５に装着されている場合に、上述したメモリカードモードを介してメモリカード１７０に記録されたコンテンツ情報のうち、新しく更新されたコンテンツ情報や追加されたコンテンツ情報を取得して印刷用のデータを生成し、生成した印刷用データに基づく情報を、印刷用紙などに印刷出力させるプログラムである。
【００５１】
ＥＰＲＯＭ１０４は、メモリカード１７０の固有情報である個体識別子や、メモリカード１７０に記録されているコンテンツ情報を記憶している。ＥＰＲＯＭ１０４に記憶されるコンテンツ情報は、たとえばメモリカード１７０に記録された画像ファイル数、画像ファイル名、時刻情報、使用容量情報および画像ファイルが使用済みであるか否かを示すフラグなどが含まれる。なお、個体識別子は、たとえばメモリカード１７０の製造メーカ名や製造番号情報などによって構成されている。
【００５２】
ＭＭＣ１０５は、ＭＭＣ１０５に対して着脱自在なメモリカード１７０の固有情報や記録されたコンテンツ情報の読み取りや、メモリカード１７０への各種情報の記録を制御する。ＵＳＢコントローラ１０６は、プリンタ複合機１００のＵＳＢの制御全体を司り、たとえば図示しないＵＳＢ端子を介して接続された周辺機器との各種情報の送受信を制御する。
【００５３】
ネットワークコントローラ１０７は、有線あるいは無線によって、プリンタ複合機１００と他のＰＣや装置との間で構築されたネットワークに関する制御全体を司る。表示用コントローラ１０８は、表示画面１５１に表示される各種情報の表示処理に関する制御全体を司る。バスコントローラ１０９は、バス１１０を介して接続された各構成部との各種情報の伝達に関する制御全体を司る。
【００５４】
なお、印刷回路（プリンタ制御部）１１１、スキャナ回路（スキャナ制御部）１１２、ＦＡＸ／メール回路１１３およびテレビ出力回路１１４は、それぞれがプリンタ、スキャナ、ＦＡＸ／メールおよびテレビ出力に関する制御全体を司るが、これらの機能については公知であり本発明の要旨ではないため、ここでは説明を省略する。
【００５５】
入力デバイス１１５は、たとえば上述した操作パネル１５０の各ボタン１５２〜１６０によって入力された情報を受け付け、ＣＰＵ１０１に対してバス１１０を介して出力する。また、入力デバイス１１５は、その他、キーボードやマウスなどによって構成されていてもよい。
【００５６】
（記録情報処理装置を備えるプリンタ複合機の記録情報処理手順）
つぎに、本実施の形態にかかる情報処理装置を備えるプリンタ複合機１００の記録情報処理手順について説明する。
【００５７】
図６〜図１０は、本実施の形態にかかる記録情報処理装置を備えるプリンタ複合機の記録情報処理手順の一例を示すフローチャートである。なお、以降において、既に説明した部分と重複する箇所には同一の符号を附して説明を省略する。ここで、図６は、プリンタ複合機１００が起動中のときに電源ＯＦＦにされる際の処理を示し、図７は、プリンタ複合機１００が起動中のときにメモリカード１７０が装着された際の処理を示す。また、図８は、プリンタ複合機１００が起動中のときにモード選択操作がなされた際の処理を示し、図９は、プリンタ複合機１００が電源ＯＦＦのときに起動される際の処理を示す。また、図１０は、プリンタ複合機１００におけるメモリカード１７０の同一性判定処理の一例を示す。ここでは、図９および図１０に示す処理に先立って、図６〜図８に示す処理について説明する。
【００５８】
図６のフローチャートにおいて、まず、ＣＰＵ１０１の主制御部１２６によって、入力デバイス１１５からの情報に基づいて、プリンタ複合機１００の電源スイッチボタン１５４が押下されることにより電源スイッチがＯＦＦであるか否かを判断し（ステップＳ６０１）、電源スイッチがＯＦＦとなるまで待って（ステップＳ６０１：Ｎｏ）、ＯＦＦとなった場合（ステップＳ６０１：Ｙｅｓ）は、ＭＭＣ１０５からの情報に基づいて、メモリカード検出部１２１によって、ＭＭＣ１０５にメモリカード１７０が装着されてメモリカード１７０が存在するか否かを判断する（ステップＳ６０２）。
【００５９】
メモリカード１７０が存在する場合（ステップＳ６０２：Ｙｅｓ）は、ＣＰＵ１０１のメモリ記憶部１２２によって、プリンタ複合機１００が電源ＯＦＦとなるときにメモリカード１７０が存在していたことを示す終了フラグを１に設定しＥＰＲＯＭ１０４に記憶する（ステップＳ６０３）。そして、ＣＰＵ１０１のメモリ記憶部１２２によって、メモリカード１７０の個体識別子をＥＰＲＯＭ１０４に記憶するとともに（ステップＳ６０４）、画像ファイル数や画像ファイル名などのメモリカード１７０のコンテンツ情報をＥＰＲＯＭ１０４に記憶して（ステップＳ６０５）、一連の処理を終了する。
【００６０】
一方、上記ステップＳ６０２において、メモリカード１７０が存在しない場合（ステップＳ６０２：Ｎｏ）は、ＣＰＵ１０１のメモリ記憶部１２２によって、終了フラグを初期化し、すなわち終了フラグを０に設定しＥＰＲＯＭ１０４に記憶して（ステップＳ６０６）、一連の処理を終了する。以上のような処理によって、プリンタ複合機１００が電源ＯＦＦにされる際に、ＭＭＣ１０５にメモリカード１７０が装着されていたか否かが、また、装着されていた場合のメモリカード１７０の個体識別子やコンテンツ情報がどのようなものであったかがプリンタ複合機１００に認識される。
【００６１】
つぎに、図７のフローチャートにおいて、まず、ＭＭＣ１０５からの情報に基づいて、ＣＰＵ１０１のメモリカード検出部１２１によって、ＭＭＣ１０５にメモリカード１７０が装着されたか否かを判断し（ステップＳ７０１）、メモリカード１７０が装着されるまで待って（ステップＳ７０１：Ｎｏ）、装着された場合（ステップＳ７０１：Ｙｅｓ）は、ＭＭＣ１０５からの情報に基づいて、メモリカード検出部１２１によって、装着されたメモリカード１７０に個体識別子が存在するか否かを判断する（ステップＳ７０２）。
【００６２】
メモリカード１７０に個体識別子が存在しない場合（ステップＳ７０２：Ｎｏ）は、ＣＰＵ１０１のカード記録部１２３によって、個体識別子をメモリカード１７０に記録し（ステップＳ７０３）、一連の処理を終了する。メモリカード１７０に個体識別子が存在する場合（ステップＳ７０２：Ｙｅｓ）は、そのまま一連の処理を終了する。以上のような処理によって、プリンタ複合機１００が起動中にＭＭＣ１０５にメモリカード１７０が装着された際に、どのような固有情報を有するメモリカード１７０が装着されたかがプリンタ複合機１００によって認識される。
【００６３】
つぎに、図８のフローチャートにおいて、まず、入力デバイス１１５からの情報に基づいて、ＣＰＵ１０１の主制御部１２６によって、モード選択ボタン１５３が押下されることによりモード選択操作がされたか否かを判断し（ステップＳ８０１）、モード選択操作がされるまで待って（ステップＳ８０１：Ｎｏ）、操作がされた場合（ステップＳ８０１：Ｙｅｓ）は、メモリカードモードボタン１５３ｅが押下されることにより、メモリカードモードが選択されたか否かを判断する（ステップＳ８０２）。
【００６４】
メモリカードモードが選択された場合（ステップＳ８０２：Ｙｅｓ）は、ＭＭＣ１０５からの情報に基づいて、ＣＰＵ１０１のメモリカード検出部１２１によって、メモリカード１７０が存在するか否かを判断する（ステップＳ８０３）。メモリカード１７０が存在しない場合（ステップＳ８０３：Ｎｏ）は、たとえば表示用コントローラ１０８によって、表示画面１５１上に「メモリカードを挿入してください。」というようなメモリカード１７０の装着を促す旨の警告文などの警告を表示し（ステップＳ８０４）、再度ステップＳ８０３の判断処理に移行する。
【００６５】
メモリカード１７０が存在する場合（ステップＳ８０３：Ｙｅｓ）は、ＣＰＵ１０１のメモリ記憶部１２２によって、メモリカードモードによる操作がなされたときにメモリカード１７０が存在していたことを示すメモリカード操作フラグを１に設定しＥＰＲＯＭ１０４に記憶し（ステップＳ８０５）、ＭＭＣ１０５によって読み出したメモリカード１７０のコンテンツ情報をＥＰＲＯＭ１０４に記憶して（ステップＳ８０６）、一連の処理を終了する。
【００６６】
一方、メモリカードモードが選択されない場合（ステップＳ８０２：Ｎｏ）は、ＣＰＵ１０１のメモリ記憶部１２２によって、メモリカード操作フラグを０に設定しＥＰＲＯＭ１０４に記憶して（ステップＳ８０７）、一連の処理を終了する。以上のような処理によって、プリンタ複合機１００が起動中にモード選択操作がされた際に、メモリカードモードによる操作がされたかがプリンタ複合機１００によって認識される。このように、図６〜図８のフローチャートに示す処理を経て、プリンタ複合機１００にメモリカード１７０に関する各種情報が認識される。
【００６７】
そして、図９のフローチャートにおいて、まず、入力デバイス１１５からの情報に基づいて、ＣＰＵ１０１の主制御部１２６によって、電源スイッチボタン１５４が押下されることにより電源スイッチがＯＮであるか否かを判断し（ステップＳ９０１）、電源スイッチがＯＮとなるまで待って（ステップＳ９０１：Ｎｏ）、ＯＮとなった場合（ステップＳ９０１：Ｙｅｓ）は、ＣＰＵ１０１の主制御部１２６によって、プリンタ複合機１００の各部を初期化し、表示用コントローラ１０８によって表示画面１５１上に、電源スイッチがＯＮとなった旨をあらわす起動画面を表示する（ステップＳ９０２）。
【００６８】
そして、ＣＰＵ１０１の主制御部１２６によって、プリンタ複合機１００が起動したときにメモリカード１７０が存在していたことを示す、すなわちプリンタ複合機１００が電源ＯＮとなるときにメモリカード１７０が存在していたことを示す起動フラグを初期化、すなわち起動フラグを０に設定し（ステップＳ９０３）、ＭＭＣ１０５からの情報に基づいて、ＣＰＵ１０１のメモリカード検出部１２１によって、メモリカード１７０が存在するか否かを判断する（ステップＳ９０４）。
【００６９】
メモリカード１７０が存在する場合（ステップＳ９０４：Ｙｅｓ）は、ＣＰＵ１０１の主制御部１２６によって、起動フラグを１に設定し（ステップＳ９０５）、プリンタ複合機１００が前回電源ＯＦＦとなったときから今回電源ＯＮとなったときに用いられているメモリカード１７０が同一のものであるか否かを判定するメモリカード同一性判定処理をおこない（ステップＳ９０６）、一連の処理を終了する。一方、メモリカード１７０が存在しない場合（ステップＳ９０４：Ｎｏ）は、起動フラグを０にしたままメモリカード同一性判定処理をおこない（ステップＳ９０６）、一連の処理を終了する。
【００７０】
上記ステップＳ９０６におけるメモリカード同一性判定処理は、たとえばつぎのようにおこなわれる。すなわち、図１０のフローチャートにおいて、まず、ＣＰＵ１０１の判定部１２４によって、主制御部１２６により設定された起動フラグが１であるか否かを判定し（ステップＳ１００１）、起動フラグが１である場合（ステップＳ１００１：Ｙｅｓ）は、ＥＰＲＯＭ１０４に記憶された終了フラグが１であるか否かを判定する（ステップＳ１００２）。
【００７１】
終了フラグが１である場合（ステップＳ１００２：Ｙｅｓ）は、メモリカード１７０とＥＰＲＯＭ１０４とに記録（記憶）された個体識別子が同一であるか否かを判定し（ステップＳ１００３）、個体識別子が同一である場合（ステップＳ１００３：Ｙｅｓ）は、メモリカード１７０とＥＰＲＯＭ１０４とに記録（記憶）されたコンテンツ情報が同一であるか否かを判定する（ステップＳ１００４）。
【００７２】
ここでの判定処理は、たとえばコンテンツ情報として画像ファイル数、画像ファイル名、時刻情報、使用容量および画像ファイルが使用済みであるか否かを示すフラグなどを用いておこなわれる。なお、判定処理の後に、ＣＰＵ１０１の主制御部１２６によって、たとえば画像ファイルが使用済みであるか否かを示すフラグを参照して、使用済みでないと示される画像ファイルを用いて印刷情報を生成する処理をおこなってもよい。
【００７３】
コンテンツ情報が同一である場合（ステップＳ１００４：Ｙｅｓ）は、ＥＰＲＯＭ１０４に記憶されたメモリカード操作フラグが１であるか否かを判定し（ステップＳ１００６）、操作フラグが１である場合（ステップＳ１００６：Ｙｅｓ）は、たとえばメモリカード操作フラグを１に設定した時刻、あるいはプリンタ複合機１００の電源ＯＦＦ時の時刻から、あらかじめ設定した所定時間が経過したか否かを判定する（ステップＳ１００７）。なお、このステップＳ１００７で用いられるプリンタ複合機１００における所定時間の設定処理については後述する。
【００７４】
一方、コンテンツ情報が同一でない場合（ステップＳ１００４：Ｎｏ）は、主制御部１２６によって、コンテンツ情報内の変更された情報を抽出し認識して（ステップＳ１００５）、プリンタ複合機１００をメモリカードモードで起動し（ステップＳ１００８）、表示画面１５１上にコンテンツ情報を表示して（ステップＳ１００９）、一連の処理を終了する。ここで、上記ステップＳ１００９におけるコンテンツ情報の表示について簡単に説明する。
【００７５】
図１１は、コンテンツ情報が表示された表示画面を説明するための図である。図１１に示すように、表示画面１５１上にはコンテンツ情報表示項目２６０と、ボタン指示項目２０６，２０７，２２７，２２８とが表示され、たとえば「画像印刷」および「メモリカード内の画像を印刷することができます」という旨の文字列表示がなされている。
【００７６】
たとえばメモリカード１７０内の画像ファイルが追加されたり変更されたりしてコンテンツ情報が同一でないと判断された場合は、追加されたり変更されたりした画像ファイルがコンテンツ情報表示項目２６０に表示されるため、印刷処理などに容易に利用することができるように表示される。
【００７７】
なお、上記ステップＳ１００２において、終了フラグが１でない場合（ステップＳ１００２：Ｎｏ）、上記ステップＳ１００３において、個体識別子が同一でない場合（ステップＳ１００３：Ｎｏ）および上記ステップＳ１００７において、所定時間が経過していない場合（ステップＳ１００７：Ｎｏ）は、同様にプリンタ複合機１００をメモリカードモードで起動する（ステップＳ１００８）。
【００７８】
また、所定時間が経過した場合（ステップＳ１００７：Ｙｅｓ）は、ユーザによってメモリカードモードでプリンタ複合機１００を起動する意思がないと判断して、通常動作としてプリンタ複合機１００をデフォルトモードで起動し（ステップＳ１０１０）、一連の処理を終了する。
【００７９】
なお、上記ステップＳ１００１において、起動フラグが１でない場合（ステップＳ１００１：Ｎｏ）および上記ステップＳ１００６において、メモリカード操作フラグが１でない場合（ステップＳ１００６：Ｎｏ）は、同様にプリンタ複合機１００をデフォルトモードで起動する（ステップＳ１０１０）。
【００８０】
以上のように情報処理をおこなうことによって、プリンタ複合機１００が電源ＯＮのときにＭＭＣ１０５にメモリカード１７０が装着されている状態の場合に、ユーザの意思によってメモリカードモードで起動したいのかデフォルトモードで起動したいのかをより細かく自動的に判定することができるため、利便性を向上させることが可能となる。なお、図１０のフローチャートにおける上記各判断処理は、その順番が入れ替わってもよい。つぎに、上記ステップＳ１００７で用いられるプリンタ複合機１００における所定時間の設定処理について説明する。
【００８１】
図１２〜図１５は、本実施の形態にかかる記録情報処理装置を備えるプリンタ複合機における所定時間の設定処理を説明するための図である。図１２に示すように、プリンタ複合機１００が電源ＯＮである場合に、操作パネル１５０のセットアップボタン１５８を押下すると、表示画面１５１上にセットアップ画面が表示される。
【００８２】
このセットアップ画面には、たとえば画面表示項目２０１と、選択項目２１０と、ボタン指示項目２０２〜２０５と、カーソル２０９とが表示されている。画面表示項目２０１には、セットアップ画面表示中であることを示す「セットアップ」という文字列が表示されている。また、選択項目２１０には、時刻設定項目２１１、モード移行保持間隔設定項目２１２、インク残量表示項目２１３およびノズルチェック項目２１４，２１５の各項目２１１〜２１５が表示されている。
【００８３】
ボタン指示項目２０２〜２０５は、各ボタン指示項目２０２〜２０５と対応する操作パネル１５０における各ボタン１５２〜１６０を押下することによって、対応する操作をプリンタ複合機１００に対して指示することができるように表示される。たとえば、ボタン指示項目２０４は、選択決定ボタン１５２の右方向キー１５２ｃを押下することによって、「設定開始」という文字列表示が示すように選択項目２１０で選択した項目の設定を開始することができることをあらわしている。
【００８４】
ここで、たとえばボタン指示項目２０２，２０３にしたがって操作したカーソル２０９によって時刻設定項目２１１を選択し、右方向キー１５２ｃを押下して設定を開始した場合は、図１３および図１４に示すように、表示画面１５１上に時刻設定画面が表示される。この時刻設定画面には、たとえば時刻設定画面表示中であることを示す「時刻設定」という文字列表示がおこなわれた画面表示項目２０１と、ボタン指示項目２０４，２０６，２２１〜２２６と、日時表示項目２２７〜２２９，２３１〜２３３とが表示される。なお、図１３に示す画面は年月日を設定する際に、図１４に示す画面は時刻を設定する際に表示画面１５１に表示される。
【００８５】
ここで、図１２におけるカーソル２０９によってモード移行保持間隔設定項目２１２を選択した場合、図１５に示すように、モード移行保持間隔設定画面表示中であることを示す「モード移行保持間隔設定」という文字列表示がおこなわれた画面表示項目２０１と、ボタン指示項目２０６，２２１〜２２４と、日時表示項目２３４，２３５とが表示される。ユーザは、各ボタン指示項目２２１〜２２４に対応する選択決定ボタン１５２を押下して、上述した所定時間をプリンタ複合機１００に対して設定する。
【００８６】
このようにして所定時間を設定すれば、前回電源ＯＮ時からプリンタ複合機１００にメモリカード１７０を装着したままの状態であっても、今回電源ＯＮとした時刻が設定した所定時間内か否かを判定してメモリモードで起動するか否かを決定することが可能となる。
【００８７】
以上説明したように、本発明の実施の形態の記録情報処理装置によれば、電源がＯＮ状態であるときに記録媒体が装着されている場合に、記録媒体が有する固有情報およびコンテンツ情報と、あらかじめ記録情報処理装置に記憶されている固有情報およびコンテンツ情報とが比較され、異なる部分のコンテンツ情報が抽出されて表示される。これにより、電源ＯＮ時に記録媒体が装着されているときに、ユーザが記録媒体に記録されたコンテンツ情報を使用する意図があるか否かを効果的に判断してその情報を表示することができるため、ユーザの利便性の向上を図ることが可能となる。
【００８８】
また、抽出されたコンテンツ情報を用いて印刷情報を生成し出力することができ、さらにユーザの利便性の向上を図ることができる。また、コンテンツ情報として、画像ファイル数、画像ファイル名、時刻情報、使用容量および画像ファイルが使用済みであるかを示すフラグを用いて比較することができ、ユーザが記録媒体に記録されたコンテンツ情報を使用する意図があるか否かをさらに細かく判断することが可能となる。
【００８９】
また、あらかじめ記録情報処理装置に設定された所定時間と時刻情報とを用いて比較することができ、ユーザが記録媒体に記録されたコンテンツ情報を使用する意図があるか否かをさらに細かく判断することができる。
【００９０】
なお、本実施の形態で説明した記録情報処理方法は、あらかじめ用意されたプログラムを、たとえば記録情報処理装置に組み込まれたコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００９１】
【図１】記録情報処理装置を備えるプリンタ複合機の外観を示す正面図。
【図２】プリンタ複合機の外観を示す上面図。
【図３】プリンタ複合機の外観を示す側面図。
【図４】プリンタ複合機の操作パネルの外観を示す正面図。
【図５】プリンタ複合機の機能的構成を示すブロック図。
【図６】プリンタ複合機の記録情報処理手順の一例を示すフローチャート。
【図７】プリンタ複合機の記録情報処理手順の一例を示すフローチャート。
【図８】プリンタ複合機の記録情報処理手順の一例を示すフローチャート。
【図９】プリンタ複合機の記録情報処理手順の一例を示すフローチャート。
【図１０】プリンタ複合機の記録情報処理手順の一例を示すフローチャート。
【図１１】コンテンツ情報が表示された表示画面を説明するための図。
【図１２】プリンタ複合機における所定時間の設定処理を説明するための図。
【図１３】プリンタ複合機における所定時間の設定処理を説明するための図。
【図１４】プリンタ複合機における所定時間の設定処理を説明するための図。
【図１５】プリンタ複合機における所定時間の設定処理を説明するための図。
【符号の説明】
【００９２】
１００  プリンタ複合機、１０１  ＣＰＵ、１０２  ＲＡＭ、１０３  ＲＯＭ、１０４  ＥＰＲＯＭ、１０５  ＭＭＣ、１０６  ＵＳＢコントローラ、１０７  ネットワークコントローラ、１０８  表示用コントローラ、１０９  バスコントローラ、１１０  バス、１１１  印刷回路（プリンタ制御部）、１１２  スキャナ回路（スキャナ制御部）、１１３  ＦＡＸ／メール回路、１１４  テレビ出力回路、１１５  入力デバイス、１２１  メモリカード検出部、１２２  メモリ記憶部、１２３  カード記録部、１２４  判定部、１２５  ユーザインタフェース処理部、１２６  主制御部、１３０  スキャナ部、１３１  原稿カバー、１４０  プリンタ部、１５０  操作パネル、１５１  表示画面、１５２  選択決定ボタン、１５２ａ  上方向キー、１５２ｂ  下方向キー、１５２ｃ  右方向キー、１５２ｄ  左方向キー、１５２ｅ  決定ボタン、１５３  モード選択ボタン、１５３ａ  コピーモードボタン、１５３ｂ  スキャンモードボタン、１５３ｃ  プリントモードボタン、１５３ｄ  フィルムモードボタン、１５３ｅ  メモリカードモードボタン、１５４  電源スイッチボタン、１５５  スタートボタン、１５６  ストップボタン、１５７  表示切替ボタン、１５８  セットアップボタン、１５９  印刷設定ボタン、１６０  戻るボタン
【図１】
2007136917.tif 000003
【図２】
2007136917.tif 000004
【図３】
2007136917.tif 000005
【図４】
2007136917.tif 000006
【図５】
2007136917.tif 000007
【図６】
2007136917.tif 000008
【図７】
2007136917.tif 000009
【図８】
2007136917.tif 000010
【図９】
2007136917.tif 000011
【図１０】
2007136917.tif 000012
【図１１】
2007136917.tif 000013
【図１２】
2007136917.tif 000014
【図１３】
2007136917.tif 000015
【図１４】
2007136917.tif 000016
【図１５】
2007136917.tif 000017